【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
物体の少なくとも第１の画像及び第２の画像をディスプレイに表示する方法であって、
前記物体の前記第１の画像のエッジと前記第２の画像のエッジとの間の距離値を与えるステップと、
与えられた前記距離値が距離の閾値を超える場合は、前記第１の画像及び前記第２の画像のサイドバイサイドビューを前記ディスプレイに自動的に表示するステップであって、表示される前記第１の画像の前記エッジと表示される前記第２の画像の前記エッジとの間の距離が前記与えられた距離値に対応する当該ステップ、又は、前記与えられた距離値が前記距離の閾値よりも小さい場合は、前記第１の画像及び前記第２の画像のオーバーレイビューを自動的に表示するステップと
を有する、当該方法。
【請求項２】
距離値決定デバイスにより前記距離値を連続的に修正するステップと、
前記距離値に基づいて同時に前記第１の画像及び前記第２の画像の表示を前記連続的な修正にそれぞれ連続的に適合させるステップと
を更に有する、請求項１記載の方法。
【請求項３】
前記サイドバイサイドビューでは、前記第１の画像及び前記第２の画像は前記ディスプレイの異なる領域に表され、
前記オーバーレイビューでは、前記第１の画像及び前記第２の画像は前記ディスプレイの同じ領域に組み合わされて表される、請求項１記載の方法。
【請求項４】
前記与えられた距離値が前記距離の閾値よりも小さい場合には、前記第１の画像の第１の色の情報及び／又は第１の強度の情報を前記第２の画像の第２の色の情報及び／又は第２の強度の情報に加えるステップを更に有する、請求項１記載の方法。
【請求項５】
ボリュームメタデータにより前記物体の関心ボリュームを与えるステップと、
前記関心ボリュームから第１のボリュームを選択するステップと、
前記関心ボリュームから第２のボリュームを選択するステップと
を更に有する、請求項１記載の方法。
【請求項６】
前記距離の閾値がゼロに等しい、請求項１記載の方法。
【請求項７】
前記オーバーレイビューでは、前記第１の画像及び前記第２の画像の重ね合わせが表示され、
前記第１の画像は第１の色でレンダリングされ、前記第２の画像は第２の色でレンダリングされ、
前記第１の色は前記第２の色とは異なる、請求項１記載の方法。
【請求項８】
前記オーバーレイビューでは、前記第１の画像及び前記第２の画像において同じである特徴が白色で表示されるように、前記第１の色は前記第２の色の補色である、請求項７記載の方法。
【請求項９】
前記物体の前記第２の画像のエッジと第３の画像のエッジとの間の第２の距離値を与えるステップと、
与えられた前記第２の距離値が第２の距離の閾値を超える場合は、前記第２の画像及び前記第３の画像のサイドバイサイドビューを前記ディスプレイに表示するステップであって、表示された前記第２の画像の前記エッジと表示された前記第３の画像の前記エッジとの間の距離が前記与えられた第２の距離値に対応する当該ステップ、前記与えられた第２の距離値が前記第２の距離の閾値よりも小さい場合は、前記第２の画像及び前記第３の画像のオーバーレイビューを表示するステップ、又は、与えられた第１の前記距離値が第１の前記距離の閾値よりも小さく、前記与えられた第２の距離値が前記第２の距離の閾値よりも小さい場合は、前記第１の画像、前記第２の画像及び前記第３の画像のオーバーレイビューを表示するステップと
を更に有する、請求項１に記載の方法。
【請求項１０】
請求項１記載の方法を実行するようにコンピュータプロセッサを制御するソフトウェアを担持する、非一時的コンピュータ可読媒体。
【請求項１１】
物体の少なくとも第１の画像及び第２の画像を表示する表示モードを計算するデバイスであって、
当該デバイスはプロセッサを有し、
当該デバイスは、前記物体の前記第１の画像のエッジと前記第２の画像のエッジとの間の距離値のデータを受け取り、
前記プロセッサは、前記距離値が距離の閾値を超える場合は、前記第１の画像及び前記第２の画像のサイドバイサイドビューの情報を有する第１の表示信号を自動的に生成し、表示される前記第１の画像の前記エッジと表示される前記第２の画像の前記エッジとの間の距離が前記距離値に対応し、
前記プロセッサは、前記距離値が前記距離の閾値よりも小さい場合は、前記第１の画像及び前記第２の画像のオーバーレイビューの情報を有する第２の表示信号を自動的に生成する、当該デバイス。
【請求項１２】
前記第１の表示信号に基づいて第１の画像を表示し、前記第２の表示信号に基づいて第２の画像を表示する表示デバイスと、
前記距離値を決定し、前記距離値の対応するデータを作成する距離値決定デバイスと
を更に有する、請求項１１記載のデバイス。
【請求項１３】
前記プロセッサは更に、
ボリュームメタデータにより前記物体の関心ボリュームを受け取り、
前記関心ボリュームから第１のボリュームを選択し、
前記関心ボリュームから第２のボリュームを選択する、請求項１１記載のデバイス。
【請求項１４】
前記プロセッサは更に、
前記物体の前記第２の画像のエッジと第３の画像のエッジとの間の第２の距離値を受け取り、
与えられた前記第２の距離値が第２の距離の閾値を超える場合は、前記第２の画像及び前記第３の画像のサイドバイサイドビューを表示するように表示デバイスを制御し、表示された前記第２の画像の前記エッジと表示された前記第３の画像の前記エッジとの間の距離が前記与えられた第２の距離値に対応し、
前記与えられた第２の距離値が前記第２の距離の閾値よりも小さい場合は、前記第２の画像及び前記第３の画像のオーバーレイビューを表示するように前記表示デバイスを制御するか、又は、
与えられた第１の前記距離値が第１の前記距離の閾値よりも小さく、前記与えられた第２の距離値が前記第２の距離の閾値よりも小さい場合は、前記第１の画像、前記第２の画像及び前記第３の画像のオーバーレイビューを表示するように前記表示デバイスを制御する、請求項１１記載のデバイス。
【請求項１５】
前記オーバーレイビューは、前記第１の画像及び前記第２の画像の重ね合わせであり、
前記第１の画像は第１の色でレンダリングされ、前記第２の画像は第２の色でレンダリングされ、
前記オーバーレイビューでは、前記第１の画像及び前記第２の画像において同じである特徴が白色になるように、前記第１の色は前記第２の色の補色である、請求項１１記載のデバイス。
【請求項１６】
対象者の少なくとも第１の診断画像及び第２の診断画像を表示するシステムであって、当該システムは、
表示デバイスと、
１以上のプロセッサと
を有し、当該１以上のプロセッサは、
前記第１の診断画像、前記第２の診断画像、及び閾値距離の値を受け取り、
前記第１の診断画像及び前記第２の診断画像をサイドバイサイドビューで表示するように、前記表示デバイスのモニタを制御し、
前記第１の診断画像及び前記第２の診断画像の対応する構造の間の距離が前記閾値距離よりも近いことに応じて、前記第１の診断画像及び前記第２の診断画像をオーバーレイビューで自動的に表示するように、前記表示デバイスを制御する、当該システム。
【請求項１７】
前記第１の診断画像及び前記第２の診断画像における前記対応する構造は、対応する関心ボリュームを含む、請求項１６記載のシステム。
【請求項１８】
前記１以上のプロセッサは更に、
第２の閾値距離の値及び前記対象者の第３の診断画像を受け取り、
前記第２の診断画像及び前記第３の診断画像をサイドバイサイドビューで表示するように、前記表示デバイスを制御し、
前記第２の診断画像及び前記第３の診断画像の前記対応する構造の間の第２の距離が前記第２の閾値距離の値よりも小さいことに応じて、前記第２の診断画像及び前記第３の診断画像をオーバーレイビューで自動的に表示するように、前記表示デバイスを制御するか、又は、前記第２の診断画像及び前記第３の診断画像の前記対応する構造の間の前記第２の距離が前記第２の閾値距離の値よりも小さく、前記第１の診断画像及び前記第２の診断画像の前記対応する構造の間の第１の前記距離が第１の前記閾値距離の値よりも小さいことに応じて、前記第１の診断画像、前記第２の診断画像及び前記第３の診断画像をオーバーレイビューで自動的に表示するように前記表示デバイスを制御する、請求項１６記載のシステム。
【請求項１９】
前記オーバーレイビューは、前記第１の診断画像及び前記第２の診断画像の重ね合わせであり、
前記第１の診断画像は第１の色でレンダリングされ、前記第２の診断画像は第２の色でレンダリングされ、
前記第１の色は前記第２の色の補色である、請求項１６記載のシステム。